(57)【要約】【課題】台所の狭い作業空間を有効に使うことができ、さらに使い勝手がよい水栓を提供することにある。【構成】水道水を浄化する浄水器に接続され、さらに給湯熱源に接続された水栓であって、浄水器にて処理された水を吐出する清水用吐水管と、前記給湯熱源にて生成された温水を吐出する温水用吐出管とを備えた水栓において、前記清水吐出管の先端に吐水及び止水を指示するセンサを設け、さらに前記温水用吐水管の先端に通水流量を設定すると共に止水可能な開閉弁を設け、そして前記清水吐水管と温水用吐水管との水栓本体に対する鉛直方向の高さを違えたことを特徴とする【選択図】図１
2004300811.tif 000002
【特許請求の範囲】
【請求項１】
水道水を浄化する浄水器に接続され、さらに給湯熱源に接続された水栓であって、浄水器にて処理された水を吐出する清水用吐水管と、前記給湯熱源にて生成された温水を吐出する温水用吐出管とを備えた水栓において、前記清水吐出管の先端に吐水及び止水を指示するセンサを設け、さらに前記温水用吐水管の先端に通水流量を設定すると共に止水可能な開閉弁を設け、そして前記清水吐水管と温水用吐水管との水栓本体に対する鉛直方向の高さを違えたことを特徴とする浄水器用水栓。
【請求項２】
前記センサーがタッチセンサーであることを特徴とする請求項１記載の浄水器用水栓。
【請求項３】
前記温水用吐水管の開閉弁の下流側に、散水状吐水及び集中吐水とを切換えることができる切替弁を備えたことを特徴とする請求項１乃至請求項２記載の浄水器用水栓
【発明の詳細な説明】
【０００１】
【発明の属する技術分野】
本発明は、浄水器と給湯熱源に接続され、浄水器にて処理された水と給湯熱源にて一定温度に吐出された温水とを、別々に設けた吐水管より吐水する水栓に関するものである。
【０００２】
【従来技術】
従来、浄水器を水栓に接続する場合は、以下の方法が一般的である（非特許文献１参照）。
・水栓の吐水管の先端に接続する場合
・水栓と別に専用の浄水器用水栓を設け、台所用のカウンターの下に浄水器本体を設け、両者を接続する場合
・水栓に浄水器を組み込み場合
【０００３】
【非特許文献】
ＴＯＴＯ  総合カタログ  ２００１−２００２  ７０１頁乃至７０２頁
【０００４】
これらの場合について説明する。
水栓の吐水管の先端に浄水器を接続する場合は、吐水管より下に浄水器が接続されるため、台所の作業スペースが減少する。さらに、水栓の先端に重量物を接続するため、水栓が完全に固定されていない場合は、水栓が外れたり、漏水事故に至る場合がある。
水栓とは別に専用の水栓を設け、カウンターの下に浄水器を接続する場合は、台所の上に２つの水栓が連立されるため、台所のスペースが減少する。また、通常の水栓と浄水器用水栓を間違って操作する場合がある。
水栓に浄水器を組み込んだ場合は、台所の作業スペースが減少することはないが、水栓本体に組み込むためのコンパクトな浄水器がなく、浄水器処理水と水道水との切り替えができない。
【０００５】
【発明の解決しようとする課題】
本発明は、以上の欠点を解消し、台所の狭い作業空間を有効に使うことができ、さらに使い勝手がよい水栓を提供することにある。
【０００６】
【課題を解決するための手段】
本発明は、以下の点に特徴を有する。
請求項１では、水道水を浄化する浄水器に接続され、さらに給湯熱源に接続された水栓であって、浄水器にて処理された水を吐出する清水用吐水管と、前記給湯熱源にて生成された温水を吐出する温水用吐出管とを備えた水栓において、前記清水吐出管の先端に吐水及び止水を指示するセンサを設け、さらに前記温水用吐水管の先端に通水流量を設定すると共に止水可能な開閉弁を設け、そして前記清水吐水管と温水用吐水管との水栓本体に対する鉛直方向の高さを違えたことを特徴とする。
【０００７】
これにより、通常の水栓と浄水器用の水栓の操作部を、一つの水栓の吐水口近傍に集中することができるので、使い勝手が良い。
【０００８】
請求項２では、請求項１において、前記センサーがタッチセンサーであることを特徴とする。
【０００９】
これにより、通常の水栓と浄水器用の水栓の操作部を、一つの水栓の吐水口近傍に集中することができるので、使い勝手が良い。さらに、誤動作を防止することができる。
【００１０】
請求項３では、請求項１乃至請求項２において、前記温水用吐水管の開閉弁の下流側に、散水状吐水及び集中吐水とを切換えることができる切替弁を備えることを特徴とする。
【００１１】
これにより、通常の水栓と浄水器用の水栓の操作部を、一つの水栓の吐水口近傍に集中することができるので、使い勝手が良い。さらに、誤動作を防止することができる。
【００１２】
【発明の実施の形態】
本発明の内容を以下に説明する。
図１は本発明の外観図であり、図２は図１の断面図である。
本発明は、浄水器１とガス給湯機２に接続され、浄水器１にて処理された水（清水）と、ガス給湯機２により一定温度で吐出された温水とを、別々の吐水管から吐水するものである。
【００１３】
浄水器１用の吐水管３は略Ｌ字形状をしており、先端にセンサー５が設けられており、このセンサー５によって使用者の手を感知することにより、清水が吐水するようになっている。ここで、センサー５は、光電式投受光素子や静電容量変化を検知するタッチセンサが考えられるが、台所での利用であることを考えると、確実に吐水・止水を設定できるタッチセンサーがよい。さらに、後述するように浄水器１用の吐出管３は、水栓本体６とパッキン１２を介して接続されており、水栓本体６の鉛直軸に対して、１８０度回転可能となっている。
【００１４】
また、温水吐水用の吐水管４は略Ｌ字形状をしており、先端に開閉弁７を設けており、さらに吐水形態を散水状及び集中吐水状に切換えることができる切替弁８を備えている。ここで、開閉弁は従来公知の２枚のディスクバルブにより構成され、ハンドルを開閉することにより両ディスクの開度が変わり、流量調整及び止水が可能としている。さらに、切替弁８は従来公知の構成からなり、ハンドルを回転することで散水状吐水と集中吐水とに切換えることができるものである。さらに、温水用吐出管４は水栓本体６とパッキン部１３で接続されており、水栓本体の鉛直軸に対して、１８０度回転可能となっている。
【００１５】
ここで、浄水器１用の吐水管３と温水吐水用の吐水管４との水栓本体６からの高さを違えており、両者を回転することにより、浄水用の吐水管と温水吐水用の吐水管とをほぼ一列に並べることができるので、非常に使い勝手がよい。
【００１６】
図２は図１の断面図であり、浄水器１により処理された清水が流入する清水流入口１０と、ガス給湯機２により一定温度の温水にされた温水流入口１１とがある。さらに、清水流入口１０より流入した清水が水栓本体６内部を通り、パッキン１２により接続された吐出管３に接続され、温水流入口１１より流入した温水は、パッキン１３により接続された温水吐水管４に接続されている。また、タッチセンサー５の信号線１４は浄水用吐水管の内部から、水栓本体６を経由して、カウンター下に設けたコントローラ１５を介して、浄水器１と水栓本体６の間に設けた電磁弁１６に接続されている。
【００１７】
以下に、清水及び温水の使用方法を説明する。
浄水の使用方法は、吐水管３先端に設けたタッチセンサー５に手を触れることにより、吐水信号が信号線１４によりコントローラ１５に伝わり、コントローラ１５が電磁弁１６に開弁信号を発する。これにより、浄水器にて処理された清水が吐出すると同時に新たな水道水が浄水器１に流入する。浄水器１より吐出した清水は水栓本体６の清水流入口１０に入り、その後、パッキン１２部を経由して浄水器吐水管３より吐出する。
【００１８】
また、温水の使用方法は、必要な温水温度を給湯機用リモコン（図示せず）にて設定し、開閉弁７を開くことにより、所定の温度の温水がガス給湯機２より吐出し、水栓本体の温水流入口１１より流入し、パッキン１３部を経由して温水吐水管４より吐出する。
【００１９】
尚、本実施形態においては、水道水の加熱熱源としてガス給湯器の例を示したが、この場合に限定されることなく、例えば石油給湯器、電気温水器、ヒートポンプ式給湯器等の他の熱源を利用することも当然できる。
【００２０】
【発明の効果】
請求項１では、通常の水栓と浄水器用の水栓の操作部を、一つの水栓の吐水口近傍に集中することができるので、使い勝手が良い。
請求項２では、通常の水栓と浄水器用の水栓の操作部を、一つの水栓の吐水口近傍に集中することができるので、使い勝手が良い。さらに、誤動作を防止することができる。
請求項３では、通常の水栓と浄水器用の水栓の操作部を、一つの水栓の吐水口近傍に集中することができるので、使い勝手が良い。さらに、誤動作を防止することができる。
【図面の簡単な説明】
【図１】本発明に係る水栓の概観図
【図２】本発明に係る水栓の断面図
【符号の説明】
１：浄水器
２：ガス給湯器
３：浄水器用吐水菅
４：温水用吐水菅
５：センサー
６：水栓本体
７：開閉弁
８：切替弁
１０：清水流入口
１１：温水流入口
１２：パッキン
１３：パッキン
１４：信号線
１５：コントローラ
１６：電磁弁
【図１】
2004300811.tif 000003
【図２】
2004300811.tif 000004